(57)【要約】【課題】第１課題は、遮蔽性、採光性、通気性及び耐久性等に優れ、かつ地球環境に優しく、省電・エコロジーなすだれを提供することであり、第２課題は、低コストで、大量生産が可能、かつ作業性が良好なすだれの提供であり、第３課題は、簡単に折り畳むことができる使い勝手の良いすだれの提供である。【解決手段】所定の巾寸法Ｗに形成した管状又は棒状の複数本からなる横材３と、上下に隣接する横材３間に少なくとも横材３の外径Ｄよりも小なる間隙ｔを形成する複数の間隙形成部４と、複数本からなる横材３の最上段に配設され、上面に係止手段１ａ、１ｂを設けた上桟１と、複数本からなる横材３の最下部に配設される下桟２とが一体的に構成されている。【選択図】図１
2012235992.tif 000002
【特許請求の範囲】
【請求項１】
建築物の屋内外に垂下されるすだれであって、
所定の巾寸法に形成した管状又は棒状の複数本からなる横材と、
上下に隣接する前記横材間に少なくとも前記横材の外径よりも小なる間隙を形成する複数の間隙形成部と、
前記複数本からなる横材の最上段に配設され、上面に係止手段を設けた上桟と、
前記複数本からなる横材の最下部に配設される下桟と、
が一体的に構成されたことを特徴とするすだれ。
【請求項２】
前記上桟、複数本の横材及び複数の間隙形成部からなる上部材と、
前記下桟、複数本の横材及び複数の間隙形成部からなる下部材と、
前記上部材と下部材間に配設される前記複数本の横材と複数の間隙形成部からなる中間部材とから構成され、
前記横材の間隙形成部に形成された連結手段を介して、上部材、中間部材及び下部材が一体的に連結されてなることを特徴とするすだれ。
【請求項３】
請求項１〜請求項２の何れかに記載のすだれにおいて、
前記横材、間隙形成部、連結手段、上桟及び下桟の素材は、透明又は半透明の熱可塑性樹脂材又は前記熱可塑性樹脂材にストーンペーパー、着色用顔料、紫外線吸収材もしくは散乱剤の何れかを加えた混合素材である、ことを特徴とするすだれ。
【請求項４】
請求項１〜請求項３の何れかに記載のすだれにおいて、
前記横材の外径が約２〜２０ｍｍで、前記横材間、横材と上桟間又は横材と下桟間に形成される間隙寸法が約１〜３ｍｍである、ことを特徴とするすだれ。
【請求項５】
請求項１〜請求項４の何れかに記載のすだれにおいて、
前記横材の側断面形状が、円形、楕円形、三角形、四角形、五角形又は六角形である、ことを特徴とするすだれ。
【請求項６】
請求項１〜請求項５の何れかに記載のすだれにおいて、
前記横材の表面又は裏面が無地又は文字、図形ないしは模様が表示されている、ことを特徴とするすだれ。
【請求項７】
請求項３に記載のすだれにおいて、
前記熱可塑性樹脂が、ポリチエチレン樹脂、ポリプロピレン樹脂、ポリ塩化ビニール樹脂、ポリスチレン樹脂、ポリ酢酸ビニール樹脂、ＡＳ樹脂、ＡＢＳ樹脂、ポリカーボネート樹脂、ポリエステル樹脂又はメタクリル酸メチル樹脂である、ことを特徴とするすだれ。
【請求項８】
請求項１〜請求項６の何れかに記載のすだれにおいて、
前記上桟及び下桟に１〜複数のマグネットが取り付けられている、ことを特徴とするすだれ。
【発明の詳細な説明】
【技術分野】
【０００１】本発明は、すだれに係り、より詳しくは、遮蔽性、採光性、通気性及び耐久性等に優れ、竹、葦又は木材等の天然素材を用いることなく、透明又は半透明の熱可塑性樹脂材又はストーンペーパー等を素材とし、低コストであると共に地球環境に優しく省電・エコロジーなすだれに関する。
【背景技術】
【０００２】「すだれ」は、例えば、住居、店舗等の軒先や窓辺等に垂下されて使用され、外部からは内部を見えにくくする目隠し機能、光を遮る日除け機能等の遮蔽性、光を適度に採り入れる採光性と屋外から屋内へ又は屋内から屋外へ空気の流通を行う通気性等を有するものである。また、「すだれ」は、その他にも室内の間仕切り、店舗内の装飾用としても広く利用されている。【０００３】市販されている従来からの「すだれ」に用いる主な素材は、細く縦割りした竹材、河川や湖沼等の岸辺に生えている葦、建築廃材や間伐材等であり、これらの素材は、中国、東南アジアの諸国で安価に調達され、所定の巾寸法に裁断されて多数本の横材とし、木綿糸等からなる複数列の縦材を、上記の国々における豊富な人材と低廉な人件費で一枚毎に手作業で織り連ねて製作されている。したがって、低コストかつ安価な販売価格でホームセンター、雑貨店又はインテリアショップ等において販売されている。【０００４】しかしながら、上記従来の「すだれ」は、比較的に軽量で通気性がやや良好という利点は有するが、特に遮蔽性、採光性及び耐久性等に問題があり、販売価格は安価であっても消費者に強い購買意欲を起こさせない。また近年の和風戸建住宅、集合住宅等には竹材、葦又は木材等の素材からくる「安っぽさ」が払拭できない。さらに従来の「すだれ」を、屋外又は屋内に設置するに際しては、「すだれ」を取り付けるための取付工事等を要したり、あるいは賃貸住宅又は店舗の場合は、取付工事等が禁じられる場合がある。【０００５】遮蔽性、採光性について、例えば、外径が約２〜５ｍｍの葦を横材とする「すだれ」は、各横材の均一性がなく、約２ｍｍの横材と約５ｍｍの横材が上下に連接するとき、両者は約１．５ｍｍの縦材（木綿糸等）によって編織され、その中間部には約１．５〜２ｍｍの隙間が形成されている。あるいは外径が共に約３ｍｍの横材が上下に連接しているとき、約１．５〜２ｍｍの隙間が形成されているので、外部から内部を見えにくくする目隠し機能、光を遮る日除け機能等の遮蔽性が悪く、また採光性にも問題がある。さらに竹材、葦又は木材等の天然素材は、日光や風雨にさらされるので長期の使用に耐えないという欠点がある。また竹材、葦又は木材等の天然素材の多量の伐採、使用及び焼却処分は、環境保全、二酸化炭素等の観点からも是認されるものではない。【０００６】上記のような従来の「すだれ」の問題点、不具合を解消するための若干の提案がなされている。例えば、特許文献１（第１頁、図２参照）の「簾」、特許文献２（第１頁、図１参照）の「金属製簾」、特許文献３（第１頁、図１参照）の「すだれ及びその製法」、特許文献４（第１頁、図１参照）の「すだれ」等である。【０００７】特許文献１（第１頁、図２参照）の「簾」は、目隠し効果が大きい簾の提供を課題とし、その解決手段は、２本以上５本以下の天然素材の線状体を撚り合わせた撚合せ体を、糸で編んで構成したことを特徴としている。特許文献２の「金属製簾」は、低中高層建築物窓外面に、軽くて不燃で耐候性や材料強度があり、景観意匠性も兼ね備え、建築物に吊り下げ取り付け、巻き上げ吊り下げ、吊り下げ折りたたみや簾同士の接続が容易で、日除け、目隠し、仕切りなどの用途機能を備えた安価な金属製簾の提供を課題とし、その解決手段は、不燃で耐候性や材料強度があり、景観意匠性と、ほとんど錆びが発生しない軽い中空金属管棒と中空金属管間接材、鎌状金物、横繋ぎ管など、たとえば建築物建材で多く用いられるアルミニュウム合金製やステンレス合金製・チタン合金製・等にステンレス合金製やチタン合成製の極細金属撚り線を用い、その中空金属管棒の長手方向に数個の貫通孔を設け、中空金属管間接材とを金属撚り線で交互に通し組上げることを特徴としている。特許文献３の「すだれ及びその製法」は、平面視に於て弯曲変形する虞れのないすだれの提供を課題とし、その解決手段は、細幅帯板状の２枚の皮付竹素材を、身側合わせに接着一体化して、両面に皮側が表れるようにしたすだれ用線状体を、糸で編んで構成したことを特徴としている。特許文献４の「すだれ」は、風を良く通し、家屋外から屋内光景等の透視及び屋内光を多角度から常時遮断することができるすだれの提供を課題とし、その解決手段は、丸棒台木に半円形羽板を被せた上部に球形パッキングを載せる。更に半円形羽板と、次に球形パッキングを上方向へ順に積層させ、一定の長さ位置で取付棒を置き、編紐通し孔を設けて、編紐を通し編みにしたことを特徴とするものである。【０００８】しかしながら、上記特許文献１の「簾」は、目隠し効果のみを解決するものであり、２〜５本の天然素材の線状体を撚り合わせてなるから、採光性、通気性及び耐久性に問題がある。また特許文献２の「金属製簾」は、通気性及び耐久性を備えているが、横材や縦材等を構成する中空金属管棒、中空金属管間接材、金属撚り線、金属丸環、横繋ぎ管金物及び建築物引っ掛け固定金物等全ての素材が、アルミニウム合金又はステンレス合金等の金属素材であるから、全体重量が重くなり、コスト高となる。また夏季にあっては、光の反射、照り返し等により室温が高くなり、冷房温度を下げることになるから省エネに逆行する。また特許文献３の「すだれ及びその製法」は、素材が皮付竹素材であり、構造的に通気性、採光性及び耐久性に劣り、住宅、店舗等には不適である。さらに特許文献４の「すだれ」は、通気性、及び採光性に劣り、縦材の編紐を手作業で半円形羽板、通し孔、球形パッキング等に挿通しなければならないので作業性、生産性の面で極めて悪いという欠点がある。
【先行技術文献】
【特許文献】
【０００９】
【特許文献１】特開２００５−１１０７３６号公報
【特許文献２】特開２００４−３０５６４６号公報
【特許文献３】特開２００２−３３１５０２号公報
【特許文献４】特開２００１−２３８７８８号公報
【発明の概要】
【発明が解決しようとする課題】
【００１０】本願発明の第１の課題は、遮蔽性、採光性、通気性及び耐久性等に優れ、かつ地球環境に優しく、省電・エコロジーなすだれを提供することであり、第２の課題は、低コストで、大量生産が可能、かつ作業性が良好なすだれの提供であり、第３の課題は、簡単に折り畳むことができる使い勝手の良いすだれの提供である。
【課題を解決するための手段】
【００１１】本願発明者は、上記従来技術が有する各種問題点に鑑み、鋭意検討を重ねて、本願発明を完成させたものである。課題を解決するための手段は、本願、特許請求の範囲の各請求項に記載の発明であり、その具体的な解決手段は、以下の通りである。【００１２】課題を解決するための第１の発明は、請求項１に記載の発明であり、
建築物の屋内外に垂下されるすだれであって、
所定の巾寸法に形成した管状又は棒状の複数本からなる横材と、上下に隣接する前記横材間に少なくとも前記横材の外径よりも小なる間隙を形成する複数の間隙形成部と、前記複数本からなる横材の最上段に配設され、上面に係止手段を設けた上桟と、前記複数本からなる横材の最下部に配設される下桟と、が一体的に構成されたことを特徴ととしている。【００１３】課題を解決するための第２の発明は、請求項２に記載の発明であり、
前記上桟、複数本の横材及び複数の間隙形成部からなる上部材と、前記下桟、複数本の横材及び複数の間隙形成部からなる下部材と、前記上部材と下部材間に配設される前記複数本の横材と複数の間隙形成部からなる中間部材とから構成され、前記横材の間隙形成部に形成された連結手段を介して、上部材、中間部材及び下部材が一体的に連結されてなることを特徴としている。【００１４】課題を解決するための第３の発明は、請求項３に記載の発明であり、
請求項１〜請求項２の何れかに記載のすだれにおいて、前記横材、間隙形成部、連結手段、上桟及び下桟の素材は、透明又は半透明の熱可塑性樹脂材又は前記熱可塑性樹脂材にストーンペーパー、着色用顔料、紫外線吸収材もしくは散乱剤の何れかを加えた混合素材である、ことを特徴としている。【００１５】課題を解決するための第４の発明は、請求項４に記載の発明であり、
請求項１〜請求項３の何れかに記載のすだれにおいて、前記横材の外径が約２〜２０ｍｍで、前記横材間、横材と上桟間又は横材と下桟間に形成される間隙寸法が約１〜３ｍｍである、ことを特徴としている。【００１６】課題を解決するための第５の発明は、請求項５に記載の発明であり、
請求項１〜請求項４の何れかに記載のすだれにおいて、前記横材の側断面形状が、円形、楕円形、三角形、四角形、五角形又は六角形である、ことを特徴としている。【００１７】課題を解決するための第６の発明は、請求項６に記載の発明であり、
請求項１〜請求項５の何れかに記載のすだれにおいて、
前記横材の表面又は裏面が無地又は文字、図形ないしは模様が表示されている、ことを特徴としている。【００１８】課題を解決するための第７の発明は、請求項７に記載の発明であり、
請求項３に記載のすだれにおいて、
前記熱可塑性樹脂が、ポリチエチレン樹脂、ポリプロピレン樹脂、ポリ塩化ビニール樹脂、ポリスチレン樹脂、ポリ酢酸ビニール樹脂、ＡＳ樹脂、ＡＢＳ樹脂、ポリカーボネート樹脂、ポリエステル樹脂又はメタクリル酸メチル樹脂である、ことを特徴としている。【００１９】課題を解決するための第８の発明は、請求項８に記載の発明であり、
請求項１〜請求項６の何れかに記載のすだれにおいて、
前記上桟及び下桟に１〜複数のマグネットが取り付けられている、ことを特徴としている。
【発明の効果】
【００２０】本願発明に係る、すだれは、上記の構成になるから以下の効果を奏する。
請求項１の発明によれば、
「建築物の屋内外に垂下されるすだれであって、所定の巾寸法に形成した管状又は棒状の複数本からなる横材と、上下に隣接する前記横材間に少なくとも前記横材の外径よりも小なる間隙を形成する複数の間隙形成部と、前記複数本からなる横材の最上段に配設され、上面に係止手段を設けた上桟と、前記複数本からなる横材の最下部に配設される下桟と、が一体的に構成された」という、特徴的構成要件により、また請求項２の発明によれば、
「前記上桟、複数本の横材及び複数の間隙形成部からなる上部材と、前記下桟、複数本の横材及び複数の間隙形成部からなる下部材と、前記上部材と下部材間に配設される前記複数本の横材と複数の間隙形成部からなる中間部材とから構成され、前記横材の間隙形成部に形成された連結手段を介して、上部材、中間部材及び下部材が一体的に連結されてなる」という、特徴的構成要件により、また請求項３の発明によれば、
「請求項１〜請求項２の何れかに記載のすだれにおいて、前記横材、間隙形成部、連結手段、上桟及び下桟の素材は、透明又は半透明の熱可塑性樹脂材又は前記熱可塑性樹脂材にストーンペーパー、着色用顔料、紫外線吸収材もしくは散乱剤の何れかを加えた混合素材である」という、特徴的構成要件により、また請求項４の発明によれば、
「請求項１〜請求項３の何れかに記載のすだれにおいて、前記横材の外径が約２〜２０ｍｍで、前記横材間、横材と上桟間又は横材と下桟間に形成される間隙寸法が約１〜３ｍｍである」という、特徴的構成要件により、また請求項５の発明によれば、
「請求項１〜請求項４の何れかに記載のすだれにおいて、前記横材の側断面形状が、円形、楕円形、三角形、四角形、五角形又は六角形である」という、特徴的構成要件により、また請求項６の発明によれば、
「請求項１〜請求項５の何れかに記載のすだれにおいて、前記横材の表面又は裏面が無地又は文字、図形ないしは模様が表示されている」という、特徴的構成要件により、また請求項７の発明によれば、
「請求項３に記載のすだれにおいて、前記熱可塑性樹脂が、ポリチエチレン樹脂、ポリプロピレン樹脂、ポリ塩化ビニール樹脂、ポリスチレン樹脂、ポリ酢酸ビニール樹脂、ＡＳ樹脂、ＡＢＳ樹脂、ポリカーボネート樹脂、ポリエステル樹脂又はメタクリル酸メチル樹脂である」という、特徴的構成要件により、遮蔽性、採光性、通気性及び耐久性等に優れ、かつ地球環境に優しく、省電・エコロジーなすだれの提供という第１の課題と、低コストで、大量生産が可能であり、かつ作業性が良好なすだれの提供という第２の課題を併せて解決することができた。
請求項８の発明によれば、
「請求項１〜請求項６の何れかに記載のすだれにおいて、前記上桟及び下桟に１〜複数のマグネットが取り付けられている」という、特徴的構成要件により、簡単に折り畳むことができる使い勝手の良いすだれの提供という、第３の課題を解決することができた。
【図面の簡単な説明】
【００２１】
【図１】（イ）は、本発明に係るすだれの第１の実施形態を示す一部省略正面図、（ロ）は、同一部省略側面図、（ハ）は、図１におけるハ−ハ線拡大断面図である。
【図２】（イ）は、本発明に係るすだれの第２の実施形態を示す一部省略正面図、（ロ）は、同一部省略側面図である。
【図３】は、本発明に係るすだれの第３の実施形態を示す構成部材を分離して示す正面図である。
【図４】（イ）は、図３におけるＡ部を拡大し、横材の間隙形成部に形成された連結部を示す拡大断面図、（ロ）は、横材間の連結状態の拡大断面図である。
【図５】（イ）、（ロ）は、横材の側断面形状を示す拡大断面図である。
【図６】は、横材と反射光の関係を説明する側面説明図である。
【図７】（イ）は、本発明に係るすだれを折り畳んだ状態の正面図、（ロ）は、同側面図である。
【発明を実施するための形態】
【００２２】以下、本発明に係るすだれについて、図面を参照しながら説明する。図１は、本発明に係るすだれ１００を示している。すだれ１００は上桟１、下桟２、横材３及び間隙形成部４から構成されている。Ｗは、上桟１、下桟２、及び横材３の巾寸法で、例えば９００ｍｍとし、Ｈ１は、すだれ１００の縦寸法で、例えば１８００ｍｍとした、いわゆる長尺のすだれ１００である。上桟１、下桟２、及び横材３は、図１（ロ）に図示するように管状としているが、これによりすだれ１００の全体重量を軽量化している。しかしながら、例えば、横材３の外径が２〜３ｍｍのように細径であるときは棒状とすることができる。上桟１から下桟２に向けて連接されている縦状の間隙形成部４は、上桟１及び下桟２と横材３、また横材３と横材３間に空気流通用の隙間ｔを形成すると共にすだれ１００全体を一体化するものである。１ａ、１ｂは係止手段である。
【００２３】上桟１、下桟２、横材３及び間隙形成部４は、例えばポリエチレン樹脂、ポリプロピレン樹脂等の透明又は半透明の熱可塑性樹脂材を押出機（不図示）に投入し、押出機内で溶融混練してから開口部を有するダイスから上桟１、下桟２、横材３及び間隙形成部４を一体的に形成した金型内に押出し、金型を冷却装置内に導入して冷却・固化させて製作される。すだれ１００の製作素材である熱可塑性樹脂材としては、上記の他、ポリ塩化ビニール樹脂、ポリスチレン樹脂、ポリ酢酸ビニール樹脂、ＡＳ樹脂、ＡＢＳ樹脂、ポリカーボネート樹脂、ポリエステル樹脂又はメタクリル酸メチル樹脂から１〜複数が押出機内で溶融混練して製作することもできる。また、熱可塑性樹脂材にストーンペーパー、着色用顔料、紫外線吸収材もしくは散乱剤の何れかを加えることができる。ストーンペーパーは、炭酸カルシウム（石から抽出した無機鉱物粉末）を主原料とし、上記のポリエチレン樹脂、ポリプロピレン樹脂等のつなぎ用の基材として混入することができ、資源保護、ＣＯ２削減に貢献するものである。着色用顔料は、カラーすだれ１００を製作するときに溶剤と共に混入される。紫外線吸収材としては、例えばパラメトキシケイ皮酸２エチルヘキシル（オクチル）、オキシベンゾン（ベンゾフェノン３）等を用いることができる。散乱剤としては、酸化チタン、酸化亜鉛等を使用できる。これにより人体はもちろん建築物を強い紫外線から遮蔽するものである。Ｍはマグネットで、すだれ１００を必要に応じて折り畳むためのもので、上桟１及び下桟２の両端部に嵌入して接着剤等で固定されている（図１、図７他、参照）。
【００２４】図２は、本発明に係るすだれの第２の実施形態を示している。すだれ１１０は、上桟１、下桟２、及び横材３の巾寸法Ｗを、例えば、９００ｍｍとし、縦寸法Ｈ２を、すだれ１００の１／２の長さである９００ｍｍとした、いわゆる短尺のすだれ１１０で、その構造は、すだれ１００と同じで、上桟１、下桟２、横材３及び間隙形成部４をすだれ１００と同様に同じ素材を上記と同じく、例えばポリエチレン樹脂、ポリプロピレン樹脂等の透明又は半透明の熱可塑性樹脂材を押出機（不図示）に投入し、押出機内で溶融混練してから開口部を有するダイスから上桟１、下桟２、横材３及び間隙形成部４を一体的に形成した金型内に押出し、金型を冷却装置内に導入して冷却・固化させて製作される。
【００２５】図３は、本発明に係るすだれの第３の実施形態を示している。すだれ１２０は、上桟１、複数本の横材３及び複数の間隙形成部４からなる上部材１１と、下桟２、複数本の横材３及び複数の間隙形成部４からなる下部材２１と、上部材１１と下部材２１間に配設される複数本の横材３と複数の間隙形成部４からなる中間部材３１とから構成されている。上部材１１の最下部の横材３ａと中間部材３１の最上部の横材３ｂには複数の連結手段５（図４、参照）が形成されている。また下部材２１の最上部の横材３ｃと中間部材３１の最下部の横材３ｄには複数の連結手段５が形成されている。上記の上部材１１、下部材２１及び中間部材３１は、それぞれすだれ１００及び１２０と同様に同じ素材を上記と同じく、例えばポリエチレン樹脂、ポリプロピレン樹脂等の透明又は半透明の熱可塑性樹脂材を押出機（不図示）に投入し、押出機内で溶融混練してから開口部を有するダイスから上桟１、下桟２、横材３及び間隙形成部４を一体的に形成した金型内に押出し、金型を冷却装置内に導入して冷却・固化させて製作される。
【００２６】図４（イ）は、図３におけるＡ部を拡大し、横材３ａと３ｂの間隙形成部４に形成された連結前の連結手段を示し、（ロ）は、横材３ａと３ｂが連結された状態を示している。５は連結手段で、上部材１１の最下部の横材３ａの間隙形成部４の内周面に設けられた凹部５ａと中間部材３１の最上部の横材３ｂの上面に設けられた凸部５ｂからなっている。凹部５ａと凸部５ｂを連結するには、図４（イ）に示す矢印Ｐのように上部材１１を中間部材３１に押し込めば、横材３ｂの凸部５ｂは横材３ａの凹部５ａに嵌着されて固定される（図４（ロ）参照）。また図示しないが、下部材２１の最上部の横材３ｃの上面には凸部５ｂが設けられ、中間部材３１の最下部の横材３ｄには凹部５ａが設けられており、凸部５ｂと凹部５ａを当接し、中間部材３１に下部材２１を押し込めば、横材３ｃの凸部５ｂは横材３ｄの凹部５ａに嵌着されて固定される（図４（ロ）参照）。なお中間部材３１を２個連結することにより、図１に示す長尺のすだれ１００とすることができる。図４に示すｔは横材３と横材３間、又は上桟１と横材３及び下桟２と横材３間の間隙寸法（隙間）で、横材３の外径寸法Ｄより小とされている。外径寸法Ｄは約２〜２０ｍｍで、間隙寸法（隙間）ｔは、主として横材３の外径寸法Ｄとの比率によって決定されるが、遮蔽性、採光性及び通気性等も勘案し、約１〜３ｍｍとされる。連結された長尺のすだれ１００を短くするには、矢印Ｐと逆方向に力を加えれば簡単に分離することができる。
【００２７】横材３の側断面形状は、円形の他、図５（イ）、（ロ）に示す各種の形状とすることも可能である。（イ）は横材３を中空とした管状体で、楕円形、三角形、四角形、五角形又は六角形等種々選択して製作される。（ロ）は横材３を中実とした棒状体で、楕円形、三角形、四角形、五角形又は六角形等種々選択して製作される。
【００２８】太陽光ＳＢ等の光線は、図６に示すように横材３等の表面に照射されるが、横材３等を形成している素材（熱可塑性樹脂材）が有する特性により反射光となって外方に放射されるので、すだれ１００等の目的である遮蔽性、採光性と共に断熱効果により、例えば屋内における冷房の設定温度を高くすることがなく、省電効果ひいては、ＣＯ２削減に寄与することができる。
【００２９】長尺のすだれ１００等は、図７（イ）、（ロ）に示すように、必要に応じて折り畳むことができる。上桟１と下桟２の両端部にはマグネットＭが取り付けられているので、（ロ）に示すように、すだれ１００等の係止手段１ａ、１ｂを軒先等の掛止杆６に垂下した状態で、下桟２のマグネットＭを上桟１のマグネットＭに近接すれば簡単に折り畳み固定することができるので至便である。また横材３の表面又は裏面は無地とすることはもちろんであり、あるいは表面又は裏面に文字、図形ないしは模様を表示することもできる。
【符号の説明】
【００３０】１００・・・すだれ  １・・・上桟  １ａ、１ｂ・・・係止手段  ２・・・下桟  ３・・・横材  ４・・・間隙形成部  １１・・・上部材  ２１・・・下部材  ３１・・・中間部材  ５・・・連結手段  ５ａ・・・凹部  ５ｂ・・・凸部  ｔ・・・間隙寸法（隙間）  Ｄ・・・横材の外径寸法  Ｗ・・・上桟、下桟及び横材の巾寸法  Ｈ１、Ｈ２・・・すだれの縦寸法  Ｍ・・・マグネット
【図１】
2012235992.tif 000003
【図２】
2012235992.tif 000004
【図３】
2012235992.tif 000005
【図４】
2012235992.tif 000006
【図５】
2012235992.tif 000007
【図６】
2012235992.tif 000008
【図７】
2012235992.tif 000009